(57)【特許請求の範囲】
【請求項１】
遮断器室及びケーブル室を有する主回路室が筐体の正面から見て左右に並設され、相互の間に間隙を有する第１及び第２のユニットと、上記遮断器室及びケーブル室を相互に仕切るように上記第１及び第２のユニット間の上記間隙に挿脱可能に設けられた可動隔壁と、上記第１及び第２のユニットの中央部に設けられ上記可動隔壁を前後方向にガイドする可動隔壁係合部材と、上記可動隔壁を上記筐体に対して固定する固定手段を備え、上記可動隔壁係合部材は、上記筐体を構成し、上下方向に延在され、上記可動隔壁を挿通し得る隙間をあけて対向された少なくとも上記筐体の前端部と背面部とに設けられたフレーム部材を用いたことを特徴とする金属閉鎖形スイッチギヤ。
【請求項２】
上記固定手段は、上記フレーム部材と上記可動隔壁の何れか一方に設けられた係止穴と、上記フレーム部材と上記可動隔壁の何れか他方に設けられ、上記可動隔壁が所定位置に挿入されたときに上記係止穴に係合する係合部材からなることを特徴とする請求項１に記載の金属閉鎖形スイッチギヤ。
【請求項３】
遮断器室及びケーブル室を有する主回路室が筐体の正面から見て左右に並設され、相互の間に間隙を有する第１及び第２のユニットと、上記遮断器室及びケーブル室を相互に仕切るように上記第１及び第２のユニット間の上記間隙に挿脱可能に設けられた可動隔壁と、上記第１及び第２のユニットの中央部に設けられ上記可動隔壁を前後方向にガイドする可動隔壁係合部材と、上記可動隔壁を上記筐体に対して固定する固定手段を備え、上記可動隔壁係合部材は、上下方向に延在され、上記可動隔壁を挿通し得る隙間をあけて対向された少なくとも１組のフレーム部材を用いたものであり、上記固定手段は、上記フレーム部材と上記可動隔壁の何れか一方に設けられた係止穴と、上記フレーム部材と上記可動隔壁の何れか他方に設けられ、上記可動隔壁が所定位置に挿入されたときに上記係止穴に係合する係合部材からなるものであって、上記係合部材は、板材からなる上記可動隔壁の両側面に上記挿脱方向に沿って対称的に配設され、それぞれ一端部が上記可動隔壁の奥側端部に固定され、他端部側が上記可動隔壁に沿って上記挿脱方向に相対移動可能に設けられ、かつ、上記フレーム部材に設けられた上記係止穴に対応する位置に、上記他端部が上記一端部方向に押し込まれたときにＶ字状に折曲して上記係止穴に入り込むように突出する、予めＶ字状に曲がり易く形成された山折部が設けられた一対の帯状材からなることを特徴とする金属閉鎖形スイッチギヤ。
【請求項４】
上記固定手段は上記筐体の奥側に配設され、上記筐体の手前側から固定し得るように上記係合部材の他端部側を上記可動隔壁よりも手前に突出させたことを特徴とする請求項３に記載の金属閉鎖形スイッチギヤ。
【請求項５】
上記可動隔壁における上記係合部材の上記他端部側に上記挿脱方向に長い長円穴を設け、該長円穴部で上記可動隔壁の両側面に配設された上記係合部材相互を固定したことを特徴とする請求項３または請求項４に記載の金属閉鎖形スイッチギヤ。
【請求項６】
上記可動隔壁を、上記遮断器室の仕切りと、上記ケーブル室の仕切りに分けて複数枚の板材によって構成したことを特徴とする請求項１から請求項５までの何れかに記載の金属閉鎖形スイッチギヤ。
【請求項７】
上記可動隔壁を１枚ものの板材によって構成したことを特徴とする請求項１から請求項５までの何れかに記載の金属閉鎖形スイッチギヤ。
【発明の詳細な説明】
【技術分野】
【０００１】
本発明は金属閉鎖形スイッチギヤに関し、特に組立時やメンテナンス時の作業性を改良した筐体構造に関する。
【背景技術】
【０００２】
従来の金属閉鎖形スイッチギヤとして、床板の前端に下部枠を固定し、床板の後端には背面板を立設し、床板の左側には左側面板を右端には右側面板を立設し、左側面板と右側面板の上部前端の間は上部枠で連結し、この上部枠と下部枠の間には、ユニット仕切枠を縦設し、背面板の内側には、ユニット仕切骨を立設し、このユニット仕切骨とユニット仕切枠の間に内側仕切板を固定するようにしたものがある（例えば特許文献１参照）。
【先行技術文献】
【特許文献】
【０００３】
【特許文献１】特開平８−１６３７１５号公報（第１頁、図１〜図３）
【発明の概要】
【発明が解決しようとする課題】
【０００４】
上記のような従来の技術においては、隣接する盤の一つの回路で短絡等の事故が発生したときに、他の回路への影響を少なくするために各回路の外線ケーブル間、或いは各遮断器間に設けられている仕切板は、内部導体を支持する機能を有する場合もある。そのため組立時では作業の序盤に仕切板をボルト等で固定し、その後、その他の内部部材を組み立てる手順となる。しかし、仕切板を取り付けることにより盤内部の作業スペースに制限ができるため、内部部材組立時、ケーブル施工時に仕切板が作業の妨げとなり、作業性が悪くなると共にスイッチギヤの小型化を妨げるという課題があった。また、現地で改造作業が発生し、主回路内部の部材取替え作業が発生した場合でも、仕切板があることで改造部位の取り外しが困難となり、現地作業時間が多く発生する問題があった。
【０００５】
この発明は上記のような従来技術の課題を解消するためになされたものであり、組立作業性、ケーブル施工性が良好であり現地改造が発生したときでも短時間に対応でき、しかも小型化し得る金属閉鎖形スイッチギヤを提供することを目的としている。
【課題を解決するための手段】
【０００６】
この発明に係る金属閉鎖形スイッチギヤは、遮断器室及びケーブル室を有する主回路室が筐体の正面から見て左右に並設され、相互の間に間隙を有する第１及び第２のユニットと、上記遮断器室及びケーブル室を相互に仕切るように上記第１及び第２のユニット間の上記間隙に挿脱可能に設けられた可動隔壁と、上記第１及び第２のユニットの中央部に設けられ上記可動隔壁を前後方向にガイドする可動隔壁係合部材と、上記可動隔壁を上記筐体に対して固定する固定手段を備え、上記可動隔壁係合部材は、上記筐体を構成し、上下方向に延在され、上記可動隔壁を挿通し得る隙間をあけて対向された少なくとも上記筐体の前端部と背面部とに設けられたフレーム部材を用いたものである。
また、この発明に係る金属閉鎖形スイッチギヤは、遮断器室及びケーブル室を有する主回路室が筐体の正面から見て左右に並設され、相互の間に間隙を有する第１及び第２のユニットと、上記遮断器室及びケーブル室を相互に仕切るように上記第１及び第２のユニット間の上記間隙に挿脱可能に設けられた可動隔壁と、上記第１及び第２のユニットの中央部に設けられ上記可動隔壁を前後方向にガイドする可動隔壁係合部材と、上記可動隔壁を上記筐体に対して固定する固定手段を備え、上記可動隔壁係合部材は、上下方向に延在され、上記可動隔壁を挿通し得る隙間をあけて対向された少なくとも１組のフレーム部材を用いたものであり、上記固定手段は、上記フレーム部材と上記可動隔壁の何れか一方に設けられた係止穴と、上記フレーム部材と上記可動隔壁の何れか他方に設けられ、上記可動隔壁が所定位置に挿入されたときに上記係止穴に係合する係合部材からなるものであって、上記係合部材は、板材からなる上記可動隔壁の両側面に上記挿脱方向に沿って対称的に配設され、それぞれ一端部が上記可動隔壁の奥側端部に固定され、他端部側が上記可動隔壁に沿って上記挿脱方向に相対移動可能に設けられ、かつ、上記フレーム部材に設けられた上記係止穴に対応する位置に、上記他端部が上記一端部方向に押し込まれたときにＶ字状に折曲して上記係止穴に入り込むように突出する、予めＶ字状に曲がり易く形成された山折部が設けられた一対の帯状材からなることを特徴とするものである。
【発明の効果】
【０００７】
この発明においては、第１及び第２のユニット間の仕切り部材を、挿脱可能な可動隔壁としたことにより、スイッチギヤ内部の組立は、中央に仕切りが無い状態で実施できるため組立作業性が向上する。また、現地改造等が必要となった場合には、可動隔壁を取り外すことで組立作業性、ケーブル施工性が良好な金属閉鎖形スイッチギヤを得ることが出来る。そして、筐体を構成するフレーム部材を用いて可動隔壁係合部材としているので、余分な部材が不要となる。また、筐体を構成するフレーム部材で有ることから、その強度が高いので、強度が高い部材に前端部と背面部とで固定することで、可動隔壁を強固に固定することが可能となり、短絡等の事故が発生したときに、隣のユニットに被害が及ぶことを防止出来る。更に、筐体を構成するフレーム部材の間に可動隔壁を挿入しているので、盤を組み立てた後からでも、可動隔壁の挿脱が可能となっている。
また、この発明においては、第１及び第２のユニット間の仕切り部材を、挿脱可能な可動隔壁としたことにより、スイッチギヤ内部の組立は、中央に仕切りが無い状態で実施できるため組立作業性が向上する。また、現地改造等が必要となった場合には、可動隔壁を取り外すことで組立作業性、ケーブル施工性が良好な金属閉鎖形スイッチギヤを得ることが出来る。そして、可動隔壁をガイドする可動隔壁係合部材として少なくとも１組のフレーム部材を用い、可動隔壁が所定位置に挿入されたときにフレーム部材または可動隔壁に設けられた係止穴に係合する係合部材を、板材からなる上記可動隔壁の両側面に上記挿脱方向に沿って対称的に配設され、それぞれ一端部が上記可動隔壁の奥側端部に固定され、他端部側が上記可動隔壁に沿って上記挿脱方向に相対移動可能に設けられ、かつ、上記フレーム部材に設けられた上記係止穴に対応する位置に、上記他端部が上記一端部方向に押し込まれたときにＶ字状に折曲して上記係止穴に入り込むように突出する、予めＶ字状に曲がり易く形成された山折部が設けられた一対の帯状材からなるものとしたので、可動隔壁の固定操作を容易に行える。
【図面の簡単な説明】
【０００８】
【図１】本発明の実施の形態１に係る金属閉鎖形スイッチギヤを、制御室を省いた状態で概念的に示す斜視図。
【図２】図１のスイッチギヤを、主回路室と制御室の間の仕切板を取り外して示す正面図。
【図３】図１のスイッチギヤの内部構成を説明する側面図。
【図４】図１のスイッチギヤの筐体を構成するフレーム材と可動隔壁をガイドする可動隔壁係合部材としてのフレーム部材の横断面図であり、図２のＩＶ−ＩＶ線における矢視断面図に相当する。
【図５】図４に示された前方側のフレーム部材の断面図。
【図６】図４に示された後方側のフレーム部材の断面図。
【図７】図１に示された可動隔壁６１に、固定手段を構成する係合部材を組み付けた状態を示す図であり、（ａ）は平面図、（ｂ）は側面図。
【図８】図１に示された可動隔壁６２に、固定手段を構成する係合部材を組み付けた状態を示す側面図。
【図９】図７に示された可動隔壁の固定方法を時系列的に説明する図。
【図１０】図４の後方側における可動隔壁の固定方法の変形例を示す斜視図。
【図１１】本発明の実施の形態２に係る金属閉鎖形スイッチギヤにおける可動隔壁の要部を示す側面図。
【図１２】図１１の可動隔壁に、固定手段を構成する係合部材を組み付けた状態を示す図であり、（ａ）は平面方向に見た断面図、（ｂ）は側面図。
【図１３】本発明の実施の形態３に係る金属閉鎖形スイッチギヤを、制御室を省いた状態で概念的に示す斜視図。
【図１４】図１３に示された可動隔壁に、固定手段を構成する係合部材を組み付けた状態を示す側面図。
【発明を実施するための形態】
【０００９】
実施の形態１．
図１は本発明の実施の形態１に係る金属閉鎖形スイッチギヤ（以下、単にスイッチギヤという）を、制御室を省いた状態で概念的に示す斜視図、図２は図１のスイッチギヤを、主回路室と制御室の間の仕切板を取り外して示す正面図、図３は図１のスイッチギヤの内部構成を説明する側面図である。図において、スイッチギヤ１００は前方側に制御室１、後方側に主回路室２が配設された２回路分のユニットが左右方向に隣接する形で設置されている。各ユニット共、主回路室２は、遮断器３１を収納する遮断器室３と、主母線４１及び遮断器３１の図の上側端子に接続される導体４２を収納する母線室４と、遮断器３１の図の下側端子に接続される導体５１、貫通型計器用変流器５２、及び外線ケーブル５３などを収納するケーブル室５にそれぞれ仕切られている。
【００１０】
なお、正面側から見て左側の第１のユニット、及び右側の第２のユニットにそれぞれ属している部材あるいは部分について特に区別する必要がある場合、当該符号にＡ（左側）またはＢ（右側）を付して示すものとする。主回路室２の正面側は仕切板１１（１１Ａ、１１Ｂ）により前方側の制御室１と仕切られている。母線室４とケーブル室５は、遮断器室３の後方部において左右別々に水平方向に延在する仕切板１２によって区分されている。一方、ケーブル室５は左右の各ユニットを区分するため、詳細を後述する仕切板である可動隔壁６（６１、６２）を中央部に設置して、左側ケーブル室５Ａと右側ケーブル室５Ｂに区分されている。同様に遮断器室３も可動隔壁６３によって左右に区分されている。なお、母線室４においては左右を区分する仕切板が設けられていない。上記のような金属閉鎖形スイッチギヤの正面は図示省略している扉で覆われ、背面は図示省略している裏面カバーで覆われている。
【００１１】
図４は、図１のスイッチギヤの筐体を構成するフレーム材と可動隔壁をガイドする可動隔壁係合部材としてのフレーム部材の横断面図であり、図２のＩＶ−ＩＶ線における矢視断面図に相当する。なお、図４は筐体のフレーム材及び上記フレーム部材の断面図なので、遮断器３１、内部導体等の機器類等は図示省略している。図４において、スイッチギヤの４隅には筐体の構造上の強度を保持するための柱部材であるフレーム材８１、８２、８３、８４が配設されている。そして、幅方向の中央部には、上下方向に延在され、上記可動隔壁６を前後方向にガイドする一方、該可動隔壁６を挿脱し得る隙間Ｓを有する可動隔壁係合部材７としての３組のフレーム部材７１、７２、７３が、主回路室２の前端部、遮断器室３の後端部（スイッチギヤの中央後部）、及びスイッチギヤ１００の背面部に設置されている。なお、Ｗは筐体の幅、Ｄは筐体の奥行を示している。
【００１２】
主回路室２の前端部に設置されたフレーム部材７１は、図５の断面図に示すように、断面コ字状の一対の型材７１Ａと７１Ｂの底面部７１ａ、７１ｂを背中合わせに、隙間Ｓ１の間隔をあけて対称的に対向配置されている。スイッチギヤ１００の背面部に設置されたフレーム部材７３は、図６の断面図に示すように、同様に断面コ字状の一対の型材７３Ａと７３Ｂの底面部を背中合わせに、隙間Ｓ３の間隔をあけて対称的に対向配置されている。遮断器室３の後端部に設置されたフレーム部材７２は、断面Ｌ字状の型材７２Ａ、７２Ｂを用いて、図４に示すようにＬ字状の１辺が隙間Ｓ２に対応する寸法の間隔をあけるように対称的に対向配置されている。なお、上記隙間Ｓは、Ｓ１＝Ｓ２＝Ｓ３であり、これら３組のフレーム部材７１〜７３は、各隙間Ｓ（Ｓ１〜Ｓ３）が直線上に位置するように設置されている。
【００１３】
なお、フレーム部材７１〜７３の板厚は、遮断器室３、ケーブル室５を各回路に区分する可動隔壁６（６１、６２、６３）の板厚以上であり、日本電機工業会規格ＪＥＭ１４２５に記載されているスイッチギヤの保護等級ＩＰ２Ｘを満たす隙間Ｓ（Ｓ１〜Ｓ３）をあけて例えば筐体の底板部材から立設される。スイッチギヤの背面中央部に立設されたフレーム部材７３は、フレーム部材７１と同様に立設され、可動隔壁６１、６２の後端部の固定と、裏面カバー（図示省略）の固定に用いられる。なお、フレーム部材７１、７３は外線ケーブル５２を固定するブラケット５４や遮断器３１を固定するための棚板８５を設置するためにも使用される。なお、制御室１と主回路室２を区分する仕切板１１は、フレーム部材７１を構成する型材７１Ａからフレーム材８１に跨る左側部分１１Ａと、型材７１Ｂからフレーム材８２に跨る右側部分１１Ｂに分けて固定され、制御室１側から見たときに中央部の隙間Ｓ１が見えている。
【００１４】
可動隔壁６は、この例では、図１の斜視図中、及び図３の太線部分で示すように形状の異なる３枚の板材を用いて構成されている。また、図７〜図９に示すように、該可動隔壁６とフレーム部材７１〜７３の間には該可動隔壁６の挿脱方向の移動を規制する固定手段９（図９（ｃ））が設けられている。なお、図１では固定手段９の図示が省略され、図３では可動隔壁６（６１、６２、６３）の設置位置が太線で強調表示されている。また、固定手段９は、スイッチギヤ１００の前部側と後部側に設けられており、特に後部側の固定手段９は、フレーム部材７３に設けられた係止穴９１と、可動隔壁６に設けられた、該可動隔壁６が所定位置に挿入されたときに係止穴９１に係合する係合部材９２を用いて構成されている。
【００１５】
上記係止穴９１は、フレーム部材７３を構成する型材７３Ａの底面部７３ａと型材７３Ｂの底面部７３ｂの所定位置に貫通された□（四角）形状の穴からなる。また、遮断器室３の後部中央部に設けられたフレーム部材７２にもフレーム部材７３と同様の□形状の穴からなる係止穴９１が設けられている（図４）。また、可動隔壁６の挿入後、前部側で固定する目的で、フレーム部材７１を構成する一方の型材７１Ａの底面部７１ａにタッピング用の下穴９３を設け、他方の型材７１Ｂの底面部７１ｂに、ボルト（またはタッピングネジ）９４の頭部が余裕をもって通過できる大きさの丸穴Ｈが該下穴９３と同軸に設けられている。
【００１６】
係合部材９２は、図７〜図９に示すように、鋼鉄材などの板材からなる可動隔壁６（６１、６２、６３）の両側面に挿脱方向（図７の左右方向、図９の上下方向）に沿って対称的に配設され、それぞれ一端部９２ａが可動隔壁６の奥側（図７、８の右側、図９の上側）端部に溶接等で固定され、他端部側が可動隔壁６に沿って挿脱方向に移動可能に保持された一対の帯状材からなる。係合部材９２の他端部は可動隔壁６の図の左端部よりも外側に突出され、図の右方向に押し込むときの係合代を確保するための、両外側に直角に曲げられた曲げ部９２ｂが設けられている。
【００１７】
そして、係合部材９２の図７の右端部近傍には、フレーム部材７２、またはフレーム部材７３に設けられた□形状の上記係止穴９１に入り込むように突出し得る、予めＶ字状に曲がり易く形成されたバネ特性を持つ山折部９２ｃが設けられている。該山折部９２ｃは、可動隔壁６よりも外側に突出された上記曲げ部９２ｂを図７の右方向に押し込んだときにＶ字状に折曲するように形成されている。また、可動隔壁６の前部側の固定のために、図７に示すように、上記ボルト９４を挿通させるための貫通孔９２Ｈが係合部材９２に、同じく貫通孔６Ｈが可動隔壁６（６１、６２、６３）の所定位置に設けられている。なお、可動隔壁６３についても図７の可動隔壁６１と同様に構成されている（図示省略）。
【００１８】
次に、上記のように構成された実施の形態１の動作について、この発明の特徴部分の１つである可動隔壁６の固定方法を中心に説明する。まず、山折部９２ｃを有する係合部材９２を、図７、図８に示すように各可動隔壁６の上下２か所に位置決めし、一端部９２ａを溶接等の固定手段により可動隔壁６に固定する。なお、各可動隔壁の動作は同様であるので、以下代表して可動隔壁６１について説明する。図９（ａ）のようにフレーム部材７１の隙間Ｓから可動隔壁６１を矢印Ａのように筐体のケーブル室５内に挿入し、図９（ｂ）に示すように可動隔壁６１の先端部が背面側のフレーム部材７３の隙間Ｓの奥に完全に入りきった位置まで挿入する。このとき、山折部９２ｃは係止穴９１の位置に到達し、可動隔壁６１はケーブル室５内に入りきり、複数の曲げ部９２ｂのみが制御室１側に突出された状態となる。
【００１９】
その後、係合部材９２の曲げ部９２ｂを白抜きの矢印Ｂの方向に押し込む。係合部材９２は図９の上側の一端部９２ａで固定されているため、山折部９２ｃが図９（ｃ）のように変形し、フレーム部材７３に設けた□形状の係止穴９１に入り込み、可動隔壁６１の後部側が盤背面側のフレーム部材７３に固定される。このとき、前方側に設けられた型材７１Ｂの丸穴Ｈ、係合部材９２の貫通孔９２Ｈ、可動隔壁６１の貫通孔６Ｈ、及び型材７１Ａの下穴９３が略同軸上に並ぶ。
【００２０】
その後、ボルト９４で前方側のフレーム部材７１を構成する型材７１Ａに設けたタッピング用の下穴９３（図５）を利用して可動隔壁６１をフレーム部材７１に対して固定する。このとき、型材７１Ａ、可動隔壁６１、及び係合部材９２は一体的に共締めされる。なお、遮断器室３の可動隔壁６３についても同様にして遮断器室３の後部のフレーム部材７２及び手前側のフレーム部材７１と固定する。なお、母線室４とケーブル室５を区分する仕切板１２は左右の回路毎に分割され、中央部分に隙間（図示省略）を有しているので可動隔壁６２と干渉することなく取り付けることができる。
【００２１】
なお、上記の例では、可動隔壁６の一端部側（奥側部）の固定手段９として、係合部材９２の一端部側をスイッチギヤ１００の背面側のフレーム部材７３の隙間Ｓに挿入させると共に、係合部材９２の山折部９２ｃをフレーム部材７３の係止穴９１に入り込ませるようにして固定したが、必ずしもこれに限定されるものではない。例えば、図１０の変形例に示すように、固定手段９を、フレーム部材７４の正面側に設けられたスリット状の係止穴９５と、可動隔壁６の挿入方向の先端部に設けられた係合突起９６によって構成し、可動隔壁６を挿入したときに係合突起９６が係止穴９５に係止されるようにしても良い。
【００２２】
なお、この場合、加工精度などによって係合突起９６が係止穴９５に入り難い、がたつきが生じるなどの問題を生じる恐れもあるが、例えば係止穴９５を、入口部分がテーパ状に広がった弾性を有するスリット状の凹部として構成すると共に、該凹部をフレーム部材の上下方向の全長に渡って設け、可動隔壁６の挿入方向の先端部全体が該凹部に挿入されるようにしても良い。この場合には、挿入し易く、しかも板材の弾性を利用することで、がたつきも抑えることができる。
【００２３】
上記のように、実施の形態１によれば、隣接された第１及び第２のユニット間の遮断器室３、及びケーブル室４を相互に仕切る可動隔壁６と、この可動隔壁を隣接方向に直交する方向に挿脱し得る隙間を有する可動隔壁係合部材７を備えるようにしたので、隣接する盤の内部部材を組立てた後に可動隔壁６を取付けることが可能となる。また、筐体内部の部材組立作業時は中央を仕切る可動隔壁６が無い状態で実施できるため組立作業性が向上する。また、現地改造等が必要となった場合には、可動隔壁を取外すことで組立作業性、ケーブル施工性が良好な金属閉鎖形スイッチギヤを得ることが出来る。
【００２４】
また、固定手段９を、背面側のフレーム部材７２、７３に設けられた係止穴９１と、可動隔壁６に設けられ、該可動隔壁６が所定位置に挿入されたときに係止穴９１に係合する係合部材９２によって構成したので、可動隔壁６を背面側に固定する際に盤の内部の奥にアクセスせずに取付け、取外しが容易に行え、組立性、現地作業性が良くなる。また、可動隔壁６は内部部材組立後でも容易に取付け、取外しが可能である。
【００２５】
また、係合部材９２として、一端部が可動隔壁６の奥側端部に固定され、他端部側が可動隔壁に沿って挿脱方向に移動可能に保持され、かつ、フレーム部材７１、７２に設けられた係止穴９１に対応する位置に、他端部が一端部方向に押し込まれたときにＶ字状に折曲して係止穴９１に入り込むように突出する予めＶ字状に曲がり易く形成された山折部９２ｃが設けられた一対の帯状材を可動隔壁６の両側面に挿脱方向に沿って対称的に配設するようにしたので、他端部側を押し込むというワンタッチの操作で盤奥側のフレーム部材７１、７２と固定される。また、帯状材として、一般的な鋼鉄材を用いた場合でもばね弾性による係合が期待できるため、フレーム部材の隙間Ｓの寸法にバラつきがあっても取付け後の可動隔壁にがたつきが生じることは無い。また、可動隔壁６と固定用のフレーム部材７１〜７３が確実に接触するため、可動隔壁の接地が取り易いというメリットもある。
【００２６】
実施の形態２．
図１１、図１２はこの発明の実施の形態２に係るスイッチギヤを説明するもので、図１１は可動隔壁の要部を示す側面図、図１２は図１１の可動隔壁に、固定手段を構成する係合部材を組み付けた状態を示す図であり、（ａ）は平面方向に見た断面図、（ｂ）は側面図である。図１１に示すように、可動隔壁６の所定位置には２つの長円穴６ａと丸穴６ｂが設けられ、実施の形態１と同様の貫通孔６Ｈと共に、互いに所定寸法離間されて列状をなしている。そして、Ｖ字状に曲がり易く形成された山折部９２ｃが設けられた一対の帯状材からなる係合部材９２には、長円穴６ａと丸穴６ｂに対応する位置に凹状に形成されたエンボス９２ｄがそれぞれ左右対称的に設けられている。
【００２７】
そして、図１２に示すように、対向されたエンボス９２ｄ相互がスポット溶接やリベット等で固定され、可動隔壁６を挟むように係合部材９２相互が固定されている。なお、可動隔壁６の奥側の丸穴６ｂに対応した位置では、係合部材９２の一端部側が可動隔壁６に対して固着されている。一方、係合部材９２の他端部側は、可動隔壁６に対して、長円穴６ａ内部でのエンボス９２ｄの移動可能範囲内で図の左右方向に相対移動可能に保持されている。なお、曲げ部９２ｂ、バネ性を有する山折部９２ｃ、丸穴９２ｆ、及び図示されていないフレーム部材などは実施の形態１と同様に構成されている。
【００２８】
上記のように構成された実施の形態２においては、可動隔壁６の一端部（先端部）側を固定するときは、実施の形態１と同様に係合部材９２の曲げ部９２ｂを矢印Ｂの方向に押し込むことにより、山折部９２ｃが変形し、図９に示すものと同様にフレーム部材７３に設けた□形状の係止穴９１に入り込み、可動隔壁６と背面側のフレーム部材７３が固定される（図９参照）。その後、ボルト９４で前側のフレーム部材７１に設けたタッピング用の下穴９３（図５）を利用して可動隔壁６をフレーム部材７１に対して固定する。これにより、実施の形態１と同様の効果が得られることに加えて、係合部材９２の他端部側が可動隔壁６の長円穴６ａに相対移動可能に保持されているので、他端部側が可動隔壁６の表面から離れる方向に広がったり、押し込むときに変形したりする恐れがなくなるという効果が得られる。
【００２９】
実施の形態３．
図１３は本発明の実施の形態３に係る金属閉鎖形スイッチギヤを、制御室を省いた状態で概念的に示す斜視図、図１４は図１３に示された可動隔壁に、固定手段を構成する係合部材を組み付けた状態を示す側面図である。なお、この実施の形態３は、可動隔壁６を１枚ものの板材を用いて構成したものである。図において、可動隔壁６は、実施の形態１の可動隔壁６１、６２、６３（図１）を合わせた形状をなしており、実施の形態１と同様の係合部材９２が上下方向に離間された４か所に設置されている。なお、係合部材９２と可動隔壁６との係合関係は実施の形態２の方式のものとしても良い。その他の構成は実施の形態１または実施の形態２と同様であるので説明を省略し、以下、前出の各図面も参照して説明する。
【００３０】
上記のように構成された実施の形態３においては、可動隔壁６を１枚ものの板材を用いて構成したので、可動隔壁６を隙間Ｓに挿入完了後、曲げ部９２ｂを奥側方向に押し込んだときに、最上部の係合部材９２は山折部９２ｃが遮断器後部のフレーム部材７２の係止穴９１と係合し、下側の３つの係合部材９２は山折部９２ｃが何れも背面部のフレーム部材７３の係止穴９１と係合する。この場合、可動隔壁６を１枚ものの板材で構成したことにより、材料点数が減り、組立作業、取外し作業をより効率的に行うことができる。
【００３１】
なお、上記実施の形態では第１及び第２のユニットが並設されている場合について説明したが、３つ以上のユニットを備えたものでも、この発明を同様に適用できることは当然である。また、例えば可動隔壁係合部材７、フレーム部材７１、７２、７３、固定手段９、係止穴９１、係合部材９２、山折部９２ｃなどは、この発明の精神の範囲内で種々の変形や変更が可能であることは言うまでもない。例えば、係止穴９１をフレーム部材７２（７３）に設け、山折部９２ｃを係合部材９２に設けたが、係止穴９１または係止穴９１に相当する機能を係合部材９２または可動隔壁６に設け、山折部９２ｃまたは山折部９２ｃに相当する機能をフレーム部材７２（７３）に設けるようにすることもできる。
【符号の説明】
【００３２】
１００  スイッチギヤ、  １  制御室、  ２  主回路室、  ３  遮断器室、  ３１  遮断器、  ４  母線室、  ５  ケーブル室、  ６（６１、６２、６３）  可動隔壁、  ６ａ  長円穴、  ６ｂ  丸穴、  ６Ｈ  貫通孔、  ７  可動隔壁係合部材、  ７１、７２、７３  フレーム部材、  ７１Ａ、７１Ｂ  型材、  ７１ａ、７１ｂ  底面部、  ７２Ａ、７２Ｂ  型材、  ７３Ａ、７３Ｂ  型材、  ７３ａ、７３ｂ  底面部、  ８１、８２、８３、８４  フレーム材、  ９  固定手段、  ９１  係止穴、  ９２  係合部材、  ９２Ｈ  貫通孔、  ９２ａ  一端部、  ９２ｂ  曲げ部、  ９２ｃ  山折部、  ９２ｄ  エンボス、  ９３  下穴、  ９４  ボルト、  １１、１２  仕切板、  Ｈ  丸穴、  Ｓ（Ｓ１、Ｓ２、Ｓ３）  隙間。
【図１】
0005597121.tif 000002
【図２】
0005597121.tif 000003
【図３】
0005597121.tif 000004
【図４】
0005597121.tif 000005
【図５】
0005597121.tif 000006
【図６】
0005597121.tif 000007
【図７】
0005597121.tif 000008
【図８】
0005597121.tif 000009
【図９】
0005597121.tif 000010
【図１０】
0005597121.tif 000011
【図１１】
0005597121.tif 000012
【図１２】
0005597121.tif 000013
【図１３】
0005597121.tif 000014
【図１４】
0005597121.tif 000015